(57)【特許請求の範囲】
【請求項１】
無線で情報媒体から情報を読み出し、情報媒体に無線で情報を書き込む無線情報機器の異常を検出する無線情報機器システムであって、
無線情報機器に搭載され、無線で情報の送受信を行う無線情報送受信手段と、
前記無線情報送受信手段に付随され、前記無線情報機器の動作確認に用いられる複数の動作確認用情報媒体と、
前記無線情報送受信手段を介して、前記複数の動作確認用情報媒体に対して周期的に情報の読み出しまたは書き込みを行い、その結果得られた情報に基づいて前記無線情報機器の異常を検出する異常検出手段と、
前記異常検出手段が異常を検出した場合に、前記無線情報機器に異常が発生したことを示す情報を出力する異常出力手段とを備え、
前記異常検出手段は、情報の読み出しが行えなかった動作確認用情報媒体が１つでもあった場合、書き込み結果が異常であった情報確認用情報媒体が１つでもあった場合、または、以前に行われた書き込み処理で書き込んだ情報と異なる情報が読み出された動作確認用情報媒体が１つでもあった場合に、前記無線情報機器の異常を検出し、
前記異常出力手段は、異常の検出の原因となった動作確認用情報媒体を識別するための識別情報を含む情報を出力する
ことを特徴とする無線情報機器システム。
【請求項２】
異常検出手段による異常検出のための読み出し以外で動作確認用情報媒体から読み出された情報を無効とする制御手段を備えた
請求項１に記載の無線情報機器システム。
【請求項３】
無線で情報媒体から情報を読み出し、情報媒体に無線で情報を書き込む無線情報機器の異常を検出する無線情報機器異常検出方法であって、
無線情報機器に付随される前記無線情報機器の動作確認に用いられる複数の動作確認用情報媒体に対して周期的に情報の読み出しまたは書き込みを行い、
情報の読み出しが行えなかった動作確認用情報媒体が１つでもあった場合、書き込み結果が異常であった情報確認用情報媒体が１つでもあった場合、または、以前に行われた書き込み処理で書き込んだ情報と異なる情報が読み出された動作確認用情報媒体が１つでもあった場合に、前記無線情報機器の異常を検出し、
異常を検出した場合に、異常の検出の原因となった動作確認用情報媒体を識別するための識別情報を含む、前記無線情報機器に異常が発生したことを示す情報を出力する
ことを特徴とする無線情報機器異常検出方法。
【請求項４】
無線で情報媒体から情報を読み出し、情報媒体に無線で情報を書き込む無線情報機器であって、該無線情報機器の動作確認に用いられる複数の動作確認用情報媒体が付随された無線情報機器と接続されるコンピュータに、
前記無線情報機器に搭載され無線で情報の送受信を行う無線情報送受信手段を介して、前記複数の動作確認用情報媒体に対して周期的に前記情報の読み出しまたは書き込みを行い、情報の読み出しが行えなかった動作確認用情報媒体が１つでもあった場合、書き込み結果が異常であった情報確認用情報媒体が１つでもあった場合、または、以前に行われた書き込み処理で書き込んだ情報と異なる情報が読み出された動作確認用情報媒体が１つでもあった場合に、前記無線情報機器の異常を検出する処理、および
異常を検出した場合に、異常の検出の原因となった動作確認用情報媒体を識別するための識別情報を含む、前記無線情報機器に異常が発生したことを示す情報を出力する処理
を実行させるための無線情報機器異常検出プログラム。
【発明の詳細な説明】
【技術分野】
【０００１】
本発明は、無線を用いて情報媒体に情報を読み書きする無線情報機器を利用した無線情報機器システム、無線情報機器、無線情報機器異常検出方法、および異常検出プログラムに関し、特に、無線情報機器の保守を自動で行う無線情報機器システム、無線情報機器、無線情報機器異常検出方法、および異常検出プログラムに関する。
【背景技術】
【０００２】
ＲＦＩＤ（Ｒａｄｉｏ  Ｆｒｅｑｕｅｎｃｙ  ＩＤｅｎｔｉｆｉｃａｔｉｏｎ）タグやその他関連機器の低価格化に伴い、ＲＦＩＤタグを用いた情報取得や、情報配信、ポイントサービス等の様々なサービスが各種検討されている。
【０００３】
例えば、来客時に、店舗に設置されたＲＦＩＤリーダにＲＦＩＤタグをかざしてもらい、ＲＦＩＤタグに記憶されている顧客の識別情報から顧客情報を取得して、顧客の携帯電話向けに動画配信や割引クーポン券配信をするサービスや、ＲＦＩＤタグに記憶されている金額データによる精算や、来店ポイントによる割引サービスなども考えられている。
【０００４】
このようなＲＦＩＤタグを用いた自動認識システムにおいて、ＲＦＩＤリーダライタが故障すると、ＲＦＩＤタグとの間で正しい情報のやりとりができずに、サービスが提供できないだけでなく、以降このＲＦＩＤタグの使用が不可能になる可能性や、無関係の顧客情報を変更してしまう可能性もある。
【０００５】
特許文献１には、カードを用いた金額データの自動認識システムにおいて、故障を的確に検出できるカードリーダが記載されている。特許文献１に記載のカードリーダは、カードの使用が終了したときにカードの可変トラックに所定の同一データを複数個記録しておき、次回挿入されたときに記録された複数のデータを読み出して記録時のデータと比較することによって異常を検出する。
【０００６】
【特許文献１】特開平０７−１０５３３１号公報（段落００１６−００１９）
【発明の開示】
【発明が解決しようとする課題】
【０００７】
ＲＦＩＤタグを用いた各種サービスは、例えば、図４に示すような無線情報機器システムによって実現される。図４は、来店した顧客の携帯電話機向けに情報配信サービスを行う無線情報機器システムの構成例を示す概念図である。図４に示す無線情報機器システムは、顧客９３が所有する携帯電話機９３１と、予め顧客に配布されたＲＦＩＤタグ９３２と、店舗９２に設置されるＲＦＩＤリーダ９２１と、店舗を管理するセンタ９１（具体的には、センタに設置されるサーバ装置）とから構成される。ここでは、無線情報機器として、ＲＦＩＤリーダ９２１を用いる。
【０００８】
なお、図示省略しているが、ＲＦＩＤリーダ９２１は、センタ９１に設置されるサーバ装置と通信ネットワークを介して接続される店舗端末に接続され、店舗端末を介してＲＦＩＤタグから読み出した情報をセンタに送信する。また、ＲＦＩＤタグ９３２は、携帯電話機用のストラップに内蔵された形で配布することが考えられる。図５は、携帯電話機９３１に携帯電話機用ストラップに内蔵されたＲＦＩＤタグ９３２（以下、ＲＦＩＤ内蔵ストラップ９３２という。）が取り付けられている例を示す説明図である。
【０００９】
このような無線情報機器システムは、例えば、次のように動作する。まず、ＲＦＩＤ内蔵ストラップ９３２を配布する際に入会処理として顧客の携帯電話機用電子メールアドレスを入手し、センタ９１側（サーバ装置が備えるデータベース等）で、配布したＲＦＩＤ内蔵ストラップ９３２に記憶されている識別情報と入手した電子メールアドレスとを対応づけて顧客情報として記憶しておく。そして、顧客９３が店舗９２に設置されているＲＦＩＤリーダ９２１にＲＦＩＤ内蔵ストラップ９３２をかざすと、ＲＦＩＤリーダ９２１は、ＲＦＩＤ内蔵ストラップ９３２に記憶されている識別情報を読み出し、センタ９１に送信する。識別情報を受信したセンタ９１は、顧客情報から受信した識別情報に対応する電子メールアドレスを取得し、電子メールを送信することによって情報配信やクーポン券配信等のサービスを行う。
【００１０】
ここで、例えば、店舗が複数のフランチャイズチェーン店からなるコンビニエンスストアの一店舗であった場合には、１つのＲＦＩＤリーダ９２１の故障によって影響のでる店舗の数も多くなる。このため、各店舗に設置される無線情報機器全てに対し、故障をより的確に検出する必要がある。
【００１１】
特許文献１に記載のカードリーダ装置をＲＦＩＤリーダに適用した場合、顧客が来店した店舗に設置されたＲＦＩＤリーダの故障を検出することはできるが、逆にいえば、ＲＦＩＤタグをかざされない限り故障が検出されないという問題点がある。従って、利用されて初めて故障が検出されるので、故障による影響を事前に防ぐことができない。
【００１２】
また、例えば、保守作業者や店員が、保守用のＲＦＩＤタグをかざす等の所定のテスト項目を実施することによって、各店舗の無線情報機器全てに対し故障を検出することができるが、個々の機器に対して保守コストがかかってしまい、結果、サービス運用コストが高くなってしまうという問題点がある。例えば、保守作業者が各設置場所に出向き確認作業を行うコストや、各店員が確認作業を行うコストが、そのままサービス運用コストとして必要になってしまう。
【００１３】
そこで、本発明は、無線情報機器の故障を自動的に検出できる無線情報機器システム、無線情報機器、無線情報機器異常検出方法、および異常検出プログラムを提供することを目的とする。
【課題を解決するための手段】
【００１４】
本発明による無線情報機器システムは、無線で情報媒体から情報を読み出し、情報媒体に無線で情報を書き込む無線情報機器の異常を検出する無線情報機器システムであって、無線情報機器に搭載され、無線で情報の送受信を行う無線情報送受信手段（例えば、ＲＦＩＤアンテナ部２１２）と、無線情報送受信手段に付随され、無線情報機器の動作確認に用いられる複数の動作確認用情報媒体（例えば、保守用ＲＦＩＤタグ）と、無線情報送受信手段を介して、複数の動作確認用情報媒体に対して、周期的に情報の読み出しまたは書き込みを行い、その結果得られた情報に基づいて無線情報機器の異常を検出する異常検出手段（例えば、ＲＦＩＤ制御部２１１、制御部２０１）と、異常検出手段が異常を検出した場合に、無線情報機器に異常が発生したことを示す情報を出力する異常出力手段（例えば、通信部２０３）とを備え、異常検出手段は、情報の読み出しが行えなかった動作確認用情報媒体が１つでもあった場合、書き込み結果が異常であった情報確認用情報媒体が１つでもあった場合、または、以前に行われた書き込み処理で書き込んだ情報と異なる情報が読み出された動作確認用情報媒体が１つでもあった場合に、無線情報機器の異常を検出し、異常出力手段は、異常の検出の原因となった動作確認用情報媒体を識別するための識別情報を含む情報を出力することを特徴とする。
【００１７】
また、無線情報機器システムは、異常検出手段による異常検出のための読み出し以外で動作確認用情報媒体から読み出された情報を無効とする制御手段（例えば、ＲＦＩＤ制御部２１１）を備えていてもよい。ここで、「読み出した情報を無効とする」とは、例えば、読み出した情報を破棄したり、読み出したときの処理を行わないことによって、読み出されなかったものとして扱うことをいう。
【００２０】
また、本発明による無線情報機器異常検出方法は、無線で情報媒体から情報を読み出し、情報媒体に無線で情報を書き込む無線情報機器の異常を検出する無線情報機器異常検出方法であって、無線情報機器に付随される無線情報機器の動作確認に用いられる複数の動作確認用情報媒体に対して、周期的に情報の読み出しまたは書き込みを行い、情報の読み出しが行えなかった動作確認用情報媒体が１つでもあった場合、書き込み結果が異常であった情報確認用情報媒体が１つでもあった場合、または、以前に行われた書き込み処理で書き込んだ情報と異なる情報が読み出された動作確認用情報媒体が１つでもあった場合に、無線情報機器の異常を検出し、異常を検出した場合に、異常の検出の原因となった動作確認用情報媒体を識別するための識別情報を含む、無線情報機器に異常が発生したことを示す情報を出力することを特徴とする。
【００２１】
また、本発明による無線情報機器異常検出プログラムは、無線で情報媒体から情報を読み出し、情報媒体に無線で情報を書き込む無線情報機器であって、該無線情報機器の動作確認に用いられる複数の動作確認用情報媒体が付随された無線情報機器と接続されるコンピュータに、無線情報機器に搭載され無線で情報の送受信を行う無線情報送受信手段を介して、複数の動作確認用情報媒体に対して、周期的に情報の読み出しまたは書き込みを行い、情報の読み出しが行えなかった動作確認用情報媒体が１つでもあった場合、書き込み結果が異常であった情報確認用情報媒体が１つでもあった場合、または、以前に行われた書き込み処理で書き込んだ情報と異なる情報が読み出された動作確認用情報媒体が１つでもあった場合に、無線情報機器の異常を検出する処理、および異常を検出した場合に、異常の検出の原因となった動作確認用情報媒体を識別するための識別情報を含む、無線情報機器に異常が発生したことを示す情報を出力する処理を実行させることを特徴とする。
【発明の効果】
【００２２】
本発明によれば、無線情報機器が、無線情報送受信手段に付随された動作確認用情報媒体を用いて動作確認するので、各無線情報機器において動作不良等の問題が発生したことを自動で検出することができる。従って、個々の無線情報機器において故障を検出するためのコストが不要となり、無線情報機器を利用したサービスを低コストで運用できる。
【発明を実施するための最良の形態】
【００２３】
以下、本発明の実施の形態を図面を参照して説明する。図１は、本実施の形態による無線情報機器システムの構成例を示すブロック図である。図１に示す無線情報機器システムは、例えば来店した顧客の携帯電話機向けに情報配信等の顧客向けサービスを行う無線情報機器システムであって、センタに設置されるセンタ用コンピュータ１０と、センタ用コンピュータ１０と通信ネットワークを介して接続される店舗システム２０とを備える。なお、図１では、１つの店舗システム２０を示しているが、店舗システムはサービスを提供する店舗の数に応じていくつであってもよい。ここで、店舗は、例えば複数のフランチャイズチェーン店からなるコンビニエンスストアの一店舗であり、センタは、それらのフランチャイズチェーン店を総括する本部などである。
【００２４】
センタ用コンピュータ１０は、例えば、店舗システム２０から送信される情報に基づいて顧客向けサービスを実行する。センタ用コンピュータ１０には、予め顧客情報として、顧客の所有する携帯電話機の電子メールアドレスと、顧客に配布したＲＦＩＤタグに記憶されている識別情報とが対応づけられて記憶されている。センタ用コンピュータ１０は、例えば、データベースを備えたサーバ装置等の情報処理装置である。
【００２５】
店舗システム２０は、制御部２０１と、タイマ部２０２と、通信部２０３と、ＲＦＩＤリーダライタ２１０とを有する。なお、ＲＦＩＤリーダライタ２１０は、ＲＦＩＤ制御部２１１と、ＲＦＩＤアンテナ部２１２とを含む。店舗システム２０は、顧客が所持するＲＦＩＤタグがＲＦＩＤリーダライタ２１０にかざされた際に、ＲＦＩＤタグに記憶されている情報を読み出して、来店情報としてセンタに通知するシステムである。
【００２６】
店舗システム２０は、例えば、制御部２０１と、タイマ部２０２と、通信部２０３とを備えるパーソナルコンピュータと、アンテナを内蔵したＲＦＩＤリーダライタ装置とが、専用ケーブルで接続されるシステムである。また、例えば、パーソナルコンピュータとセンタ用コンピュータ１０とがインターネット等の通信ネットワークを介して接続される。
【００２７】
制御部２０１は、店舗システム２０の全体的な制御を行う。具体的には、制御部２０１は、ＲＦＩＤリーダライタ２１０に対し、ＲＦＩＤタグとの通信を行うよう起動をかけることによって、ＲＦＩＤリーダライタ２１０が読み出した情報を受信し、センタ用コンピュータ１０に通信部２０３を介して送信する。また、ＲＦＩＤリーダライタ２１０に対し、新たな情報を書き込むよう要求する場合もある。また、本実施の形態においては、制御部２０１は、ＲＦＩＤリーダライタ２１０の異常を検出するための処理を行う。
【００２８】
タイマ部２０２は、時間経過をカウントする。また、タイマ部２０２は、要求があった場合には、指定された時間が経過したときにタイムアウトした旨の通知信号を制御部２０１に出力する。通信部２０３は、通信ネットワークを介してセンタ用コンピュータ１０との通信を行う。
【００２９】
なお、制御部２０１、タイマ部２０２は、例えばプログラムに従って動作するＣＰＵによって実現される。また、通信部２０３は、例えばハードウェアの通信装置とプログラムに従って動作するＣＰＵとによって実現される。
【００３０】
ＲＦＩＤ制御部２１１は、ＲＦＩＤリーダライタ２１０の全体的な制御を行う処理部である。具体的には、ＲＦＩＤ制御部２１１は、上位機器（ここでは、制御部２０１）からの要求に従って、ＲＦＩＤアンテナ部２１２を用いて、ＲＦＩＤタグから情報を読み込む、または書き込む。ＲＦＩＤアンテナ部２１２は、ＲＦＩＤタグに対し電波の受け渡しを行う。
【００３１】
なお、本発明において、ＲＦＩＤリーダライタ２１０は、通信エリア内に複数のＲＦＩＤタグが存在する場合にも、ＲＦＩＤタグからのデータ同士の衝突を防止したり、または衝突した場合に情報を識別することができるアンチコリジョン機能を有しているものとする。
【００３２】
また、ＲＦＩＤアンテナ部２１２には、保守用のＲＦＩＤタグが付随される。図２は、本実施の形態におけるＲＦＩＤリーダライタの例を示す説明図である。図２に示す例では、ＲＦＩＤアンテナ部２１２には、５枚の保守用ＲＦＩＤタグ２１３−１〜５を付随させている。なお、ＲＦＩＤタグを「付随させる」とは、表面に付けたり印刷したりするだけでなく、取り付けたり内蔵したりする場合など、付属していることが明らかな状態を示す。なお、稼働時に付属している状態であればよく、着脱可能なことを妨げない。
【００３３】
また、付随させるＲＦＩＤタグは、１枚であってもよいが、保守用ＲＦＩＤタグが故障する可能性を考慮すると、複数であることが望ましい。ただし、ＲＦＩＤリーダライタに付随させる枚数は、運用形態においてかざされうる枚数を含めて、ＲＦＩＤリーダライタが備えるアンチコリジョン機能によって確実に情報を読み出すことができる枚数に限られる。
【００３４】
なお、ＲＦＩＤ制御部２１１は、例えばＲＦＩＤリーダライタ装置が備えるプロセッサユニットによって実現される。なお、プロセッサユニットには、デコーダ、エンコーダ、メモリを含む。また、ＲＦＩＤアンテナ部２１２は、例えばハードウェアの無線通信装置によって実現される。
【００３５】
本発明では、ＲＦＩＤ制御部２１１は、ＲＦＩＤアンテナ部２１２に付随される保守用ＲＦＩＤタグの識別ＩＤを認識し、通常運用時においては、保守用ＲＦＩＤタグからの応答や、保守用のＲＦＩＤタグへの要求は処理対象から除外する。なお、保守用ＲＦＩＤタグの認識は、例えば起動時に読み出し処理を行って、その際読み出せた識別ＩＤを、保守用ＲＦＩＤタグの識別ＩＤとしてメモリに記憶しておけばよい。なお、設定インタフェース等を用いて、予めＲＦＩＤリーダライタ装置が備えるメモリに保守用ＲＦＩＤタグの識別ＩＤを記憶しておくことも可能である。または、制御部２０１が、保守用ＲＦＩＤタグを認識し、保守用ＲＦＩＤタグからの読み出しや、保守用ＲＦＩＤタグへの書き込みを処理対象から除外するよう制御することも可能である。なお、保守用ＲＦＩＤタグの識別ＩＤは、例えば店舗システム２０が備える記憶装置に記憶しておけばよい。そのような場合には、ＲＦＩＤ制御部２１１に特別な処理は不要である。
【００３６】
次に、本実施の形態の動作について説明する。まず、サービス運用時の動作について説明する。ここでは、顧客が店舗を訪問した際に予め配布されたＲＦＩＤタグをＲＦＩＤリーダライタにかざすと、来店ポイントを加算するとともに、最新の商品情報を顧客の携帯電話機向けに配信するサービスを提供する場合を例に説明する。
【００３７】
まず、店舗を訪れる顧客に対しあらかじめ会員登録を行い、顧客の携帯電話機の電子メールアドレスと、顧客に配布するＲＦＩＤタグに記憶される識別ＩＤとを対応づけて、顧客情報としてセンタ用コンピュータ１０が備えるデータベースに記憶しておく。従って、ＲＦＩＤタグには、少なくとも識別ＩＤと来店ポイントとが記憶される。
【００３８】
また、店舗に設置されたＲＦＩＤリーダライタ２１０は、常に、通信エリア内にいるＲＦＩＤタグから情報を読み出すよう制御される。例えば、店舗システム２０の制御部２０１からの起動命令を受けて、ＲＦＩＤリーダライタ２１０のＲＦＩＤ制御部２１１が、周期的に、読み出し要求を示す無線信号を送信するようＲＦＩＤアンテナ部２１２を制御することによって、ＲＦＩＤアンテナ部２１２の通信エリア内にいるＲＦＩＤタグと交信可能にする。ＲＦＩＤアンテナ部２１２の通信エリア内にいるＲＦＩＤタグは、ＲＦＩＤアンテナ部２１２から送信される無線信号を受信し、要求に従ってデータメモリの読み出しを行い、結果を応答信号にして返信する。ＲＦＩＤ制御部２１１が、ＲＦＩＤアンテナ部２１２を介してＲＦＩＤタグから返信された応答信号を受信することで、ＲＦＩＤタグに記憶された情報を読み出す。また、ＲＦＩＤ制御部２１１は、読み出した情報を制御部２０１に送信する。
【００３９】
店舗システム２０の制御部２０１は、顧客が店舗に設置されたＲＦＩＤリーダライタ２１０にＲＦＩＤタグをかざすと、ＲＦＩＤリーダライタ２１０が読み出したＲＦＩＤタグに記憶された情報（ここでは、識別ＩＤと来店ポイント）を受信する。
【００４０】
制御部２０１は、読み出した来店ポイントに１加算する。そして、加算した来店ポイントをＲＦＩＤタグに記憶させる。
【００４１】
制御部２０１は、例えば、ＲＦＩＤタグに記憶された来店ポイントを更新するための書き込み命令をＲＦＩＤ制御部２１１にだす。ＲＦＩＤ制御部２１１は、制御部２０１からの書き込み命令を受けて、書き込み要求を示す無線信号を送信するようＲＦＩＤアンテナ部２１２を制御する。ＲＦＩＤタグは、ＲＦＩＤアンテナ部２１２から送信される無線信号を受信し、要求に従ってデータメモリの書き込みを行い、結果を応答信号にして返信する。ＲＦＩＤ制御部２１１が、ＲＦＩＤアンテナ部２１２を介してＲＦＩＤタグから返信された応答信号を受信する。ＲＦＩＤ制御部２１１は、書き込み結果を制御部２０１に送信する。
【００４２】
また、制御部２０１は、読み出した識別ＩＤを来客情報としてセンタ用コンピュータ１０に送信する。制御部２０１は、例えば、読み出した識別ＩＤと読み出したＲＦＩＤリーダライタに割り振られた固有の機器ＩＤとを含む来客情報をセンタ用コンピュータ１０に送信する。来客情報には、加算した来店ポイントを含めてもよい。
【００４３】
センタ用コンピュータ１０は、店舗システム２０から来客情報を受信する。センタ用コンピュータ１０は、来客情報を受信すると、センタ用コンピュータ１０が備えるデータベースに記憶されている顧客情報から、来客情報に含まれる識別ＩＤに対応づけられた顧客の電子メールアドレスを取得する。そして、最新の商品情報を本文に含む電子メールを作成し、取得した電子メールアドレス宛に送信することによって、メール配信サービスを行う。なお、メール配信サービス等の処理は、センタ用コンピュータ１０を介して行うが、来店ポイントに応じた割引サービス等、顧客情報を用いない場合には、店舗システム２０内で処理することも可能である。
【００４４】
ここまでは、サービス運用における本システムの動作を説明したが、本実施の形態では、各店舗システム２０において、サービス運用の合間に無線情報機器（ここでは、ＲＦＩＤリーダライタ２１０）の保守を行う。図３は、本実施の形態における店舗システム２０の保守動作の一例を示すフローチャートである。
【００４５】
まず、店舗システム２０の制御部２０１は、一定時間経過毎（例えば、２４時間毎）に通知を受けとるように予めタイマ部２０２に対しタイマの起動を要求している。制御部２０１は、一定時間が経過する毎に（ステップＳ１のＹｅｓ）、ＲＦＩＤリーダライタ２１０に対し正常動作確認処理を行うよう指示をだす。例えば、制御部２０１は、タイマ２０２から一定時間経過した旨の通知を受けとると、ＲＦＩＤ制御部２１１に、正常動作確認命令をだす。なお、制御部２０１は、一定時間が経過しない間は、保守動作については何も行わず、通常のサービス運用動作を行っているものとする（ステップＳ１のＮｏ）。なお、ＲＦＩＤ制御部２１１または制御部２０１が、正常動作確認処理中以外で保守用ＲＦＩＤタグから読み出された情報を無視するので、保守用ＲＦＩＤタグが付随されている状態であっても通常のサービス運用が可能である。
【００４６】
ＲＦＩＤ制御部２１１は、制御部２０１からの正常動作確認命令を受けて、正常動作確認処理を行う（ステップＳ２）。ＲＦＩＤ制御部２１１は、ＲＦＩＤアンテナ部２１２を用いて、保守用ＲＦＩＤタグ２１３−１〜５から所定のデータを読み込み、または書き込みを行うことによって、ＲＦＩＤリーダライタ２１０が正常に動作しているか否かを確認する。例えば、５枚の保守用ＲＦＩＤタグが付随されている場合に、４枚の保守用ＲＦＩＤタグからしかデータが読み出せない場合や、異なるデータが読み出せる場合や、１枚の保守用ＲＦＩＤタグに対し書き込み処理を行った際に書き込み結果が異常の場合や、その後の読み出し処理で、以前の書き込み処理で書き込んだデータが読み出せない場合に、ＲＦＩＤリーダライタ２１０に何らかの障害が発生しているとして異常を検出する。なお、ＲＦＩＤ制御部２１１は、所定のデータの書き込み処理や読み込み処理を複数パターンで行って異常を検出してもよい。
【００４７】
ＲＦＩＤ制御部２１１は、正常動作確認命令の応答として、検出結果を制御部２０１に送信する。なお、保守用ＲＦＩＤタグの方に障害が発生することを考慮すると、異常が検出された場合には、異常の検出の原因となった保守用ＲＦＩＤタグを特定可能な情報（例えば、識別ＩＤ）を含めて送信することがより好ましい。
【００４８】
ＲＦＩＤ制御部２１１から正常動作確認命令の応答を受信すると、制御部２０１は、正常動作確認処理の結果を確認する（ステップＳ３）。なお、制御部２０１は、ＲＦＩＤ制御部２１１に対し、正常動作確認命令ではなく、所定のデータの読み出し命令や書き込み命令を出して、制御部２０１が正常動作確認処理を行うことも可能である。そのような場合には、制御部２０１が、ＲＦＩＤ制御部２１１から送られる読み出した情報や、書き込み結果に基づいて異常を検出する。制御部２０１は、正常動作確認処理の結果が正常であれば（ステップＳ３のＹｅｓ）、タイマを初期化する（ステップＳ４）。すなわち、制御部２０１は、ＲＦＩＤ制御部２１１による正常動作確認処理の結果、異常が検出されなければ、タイマ部２０２に対しタイマの再起動を要求して次の一定時間経過後を待ちつつ、通常のサービス運用を継続する。
【００４９】
また、制御部２０１は、正常動作確認処理の結果、異常が検出されれば、センタ用コンピュータ１０に異常を通知する（ステップＳ５）。例えば、制御部２０１は、ＲＦＩＤ制御部２１１による正常動作確認処理の結果、異常が検出されれば、通信部２０２を用いて、異常である旨とＲＦＩＤリーダライタ固有の機器ＩＤとを含む障害情報をセンタ用コンピュータ１０に送信する。また、制御部２０１は、店舗システム２０がディスプレイ装置やアラームＬＥＤ等の出力装置を備える場合には、出力装置に対してもアラームの出力を行う。
【００５０】
また、センタ用コンピュータ１０は、店舗システム２０から障害情報を受信すると、例えば、画面に障害情報を表示する。保守担当者は、センタ用コンピュータ１０の画面に障害情報が表示されることによって、異常の検出されたＲＦＩＤリーダライタを認識する。
【００５１】
また、制御部２０１は、異常が検出された場合には、通常動作には戻らず、ＲＦＩＤリーダライタに対する処理を終了する。なお、再度タイマーを初期化し、正常動作確認処理のみを繰り返すことも可能である。このような場合には、例えば、異常の検出の原因となった保守用ＲＦＩＤタグが交換される等により、次の正常動作確認処理で異常が解消される場合に、そのまま通常動作に復帰することが可能となる。
【００５２】
以上のように、本実施の形態によれば、保守用ＲＦＩＤタグをＲＦＩＤアンテナ部に付随させ、ＲＦＩＤ制御部が保守用ＲＦＩＤタグを認識した上で、周期的に正常動作確認処理を行うことによって、人手を介さずに、かつ、システム内のＲＦＩＤリーダライタ全てに対し的確に異常を検出することができる。
【００５３】
なお、本例では、店舗システム２０が備える制御部２０１が正常動作確認処理を行うタイミングを制御していたが、センタ用コンピュータ１０がタイマ機能を備え、センタ側から正常動作確認処理のタイミングを制御するという方法も考えられる。センタ側による正常動作確認処理のタイミングには、全店舗にて一斉に行ってもよいし、地域ごとにまとめて行うことも、個々の店舗毎にそれぞれのタイミングで行うことも可能である。
【００５４】
また、システムの保守機能として捉えるだけでなく、ＲＦＩＤリーダライタ装置の自動保守機能として捉えることも可能である。例えば、ＲＦＩＤリーダライタ２１０がタイマ機能を備え、ＲＦＩＤ制御部２１１が、自律的に正常動作確認処理を行い、異常が検出された場合に上位機器にその旨を送信することも考えられる。
【００５５】
また、異常を検出する対象はＲＦＩＤリーダライタに限られず、読み出し処理のみを行うＲＦＩＤリーダであってもよい。このようなの場合には、正常動作確認処理を読み出し処理のみで行えばよく、例えば、予め記憶されている保守用ＲＦＩＤタグの識別ＩＤが読み出せるか否かを確認することによって、ＲＦＩＤリーダの異常を検出できる。
【００５６】
また、本発明による無線情報機器システムは、ＲＦＩＤに限定されず、有線で接続されずに自動認識を行う類似の技術であれば、適用可能である。また、どのようなサービスを行うか、保守用ＲＦＩＤタグ以外のＲＦＩＤタグにどのような情報を記録するか等、サービス内容には影響されない。
【産業上の利用可能性】
【００５７】
本発明は、コンビニエンスストアやスーパーマーケット、量販店等の店舗や商店街の店舗における顧客向けサービスを提供するような、複数の無線情報機器を用いる自動認識システムに好適に適用できる。
【図面の簡単な説明】
【００５８】
【図１】本実施の形態による無線情報機器システムの構成例を示すブロック図。
【図２】ＲＦＩＤリーダライタの例を示す説明図。
【図３】店舗システム２０の保守動作の一例を示すフローチャート。
【図４】情報配信サービスを行う無線情報機器システムの構成例を示す概念図。
【図５】ＲＦＩＤ内蔵ストラップの例を示す説明図。
【符号の説明】
【００５９】
１０  センタ用コンピュータ
２０  店舗システム
２０１  制御部
２０２  タイマ部
２０３  通信部
２１０  ＲＦＩＤリーダライタ
２１１  ＲＦＩＤ制御部
２１２  ＲＦＩＤアンテナ部
２１３−１〜５  保守用ＲＦＩＤタグ
【図１】
0004595845.tif 000002
【図２】
0004595845.tif 000003
【図３】
0004595845.tif 000004
【図４】
0004595845.tif 000005
【図５】
0004595845.tif 000006